(57)【要約】【課題】  本発明の目的は、オルゴールの曲を聞きながら、オブジェクトの回転につれて変化する画像を楽しむことができるとともに、オブジェクトの取り替えが簡単であるため、異なる画像を容易に楽しむことができる万華鏡装置を提供することにある。【解決手段】  内面を鏡面とする３角中空筒体からなる万華鏡本体と、オルゴールと、円盤の一方の表面にオブジェクト片が接着されたオブジェクト円盤又は円筒の外周表面にオブジェクト片が接着されたオブジェクト円筒とからなり、オブジェクト円盤又はオブジェクト円筒をオルゴールのドラムに着脱可能に取り付け、オルゴールのドラムの回転に連動させてオブジェクト円盤又はオブジェクト円筒を回転させながら、万華鏡本体によりオブジェクト片が接着された表面を見るように構成された万華鏡装置である。【選択図】        図１
2005169038.tif 000002
【特許請求の範囲】
【請求項１】
内面を鏡面とする多角中空筒体からなる万華鏡本体と、オルゴールと、円盤の一方の表面にオブジェクト片が接着されたオブジェクト円盤とからなり、オブジェクト円盤をオブジェクト円盤の中心がオルゴールのドラムの回転軸と一致するようにオルゴールのドラムに着脱可能に取り付け、ドラムの回転に連動させてオブジェクト円盤を回転させながら、万華鏡本体によりオブジェクト円盤のオブジェクト片が接着された表面を見るように構成したことを特徴とする万華鏡装置。
【請求項２】
前記オブジェクト円盤はオブジェクト片が接着されていない他方の表面の中央部にマグネットシートが接着された構成からなり、金属板の中央部に垂直に突出する突出棒が形成されたオブジェクト円盤取付具の突出棒をオルゴールのドラムの回転軸に差し込んで固定し、オブジェクト円盤取付具の金属板にオブジェクト円盤のマグネットシートを磁力により着脱可能に取り付けるようにした構成からなることを特徴とする請求項１記載の万華鏡装置。
【請求項３】
内面を鏡面とする３角中空筒体からなる万華鏡本体と、オルゴールと、円筒の外周表面にオブジェクト片が接着されたオブジェクト円筒とからなり、オブジェクト円筒をオブジェクト円筒の中心軸がオルゴールのドラムの回転軸と一致するようにオルゴールのドラムに着脱可能に取り付け、ドラムの回転に連動させてオブジェクト円筒を回転させながら、万華鏡本体によりオブジェクト円筒のオブジェクト片が接着された外周表面を見るように構成したことを特徴とする万華鏡装置。
【請求項４】
前記オブジェクト円筒はオブジェクト円筒の回転軸方向に一方側に突出する突出棒を形成した構成からなり、突出棒をオルゴールのドラムの回転軸に差し込むことにより、オブジェクト円筒をオルゴールのドラムに脱着可能に取り付けるようにした構成からなることを特徴とする請求項３記載の万華鏡装置。
【請求項５】
３角中空筒体を頂角の小さい２等辺３角形からなる万華鏡本体とし、オブジェクト円筒の直径を２等辺３角形の高さの約２倍以下とし、万華鏡本体とオブジェクト円筒の位置関係は、オブジェクト円筒は時計回りで、２等辺３角形の底辺を左側、頂点を右側にし、底辺をオブジェクト円筒の中心軸と平行とし、頂点をオブジェクト円筒の中心軸上に位置させた構成からなることを特徴とする請求項３又は４記載の万華鏡装置。
【請求項６】
前記オブジェクト円盤と前記オブジェクト円筒は、一方の面にオブジェクト片が接着固定された下地柄シート体を、下地柄シート体の他方の面にて円盤の表面又は円筒の外周表面に両面粘着テープを使用して貼付けた構成からなることを特徴とする請求項１〜５のいずれかに記載の万華鏡装置。
【請求項７】
前記オブジェクト円盤のオブジェクト片が接着された表面又は前記オブジェクト円筒のオブジェクト片が接着された外周表面を照射する多色カラー光源が取り付けられた構成からなることを特徴とする請求項１〜６のいずれかに記載の万華鏡装置。
【発明の詳細な説明】
【技術分野】
【０００１】  本発明は、オルゴールの曲を聞きながら、回転につれて変化するオブジェクトを見ることができ、且つオブジェクトを簡単に取り替えることができるので異なる画像を簡単に楽しむことができる万華鏡装置に関する。
【背景技術】
【０００２】  従来、万華鏡装置としては、モーター又は手動にてオブジェクト部を回転させるものであり、モーターにてオブジェクト部を回転させるものの場合は、オブジェクト部をゆっくり回転させるために減速機構が必要であり、機構が複雑になり高価になるという欠点があるし、手動にてオブジェクト部を回転させるものの場合は、手でオブジェクト部を回転させる動作が煩雑になるという欠点を有している。また、上記の欠点を改良したオルゴールを使用した万華鏡としては、オルゴールと、内部を鏡面とする多角中空筒体の一端に接眼部が形成され、多角中空筒体の他端をオブジェクトケースに対向させた万華鏡を備え、オルゴールの回転ドラムの回転に連動させ、オブジェクトケースの回転によりオブジェクトケース内のオブジェクト片を可動させる万華鏡装置（例えば、特許文献１参照）が知られている。
【特許文献１】特開２００３−２２８０１９号公報
【０００３】  しかしながら、上記の万華鏡装置では、オルゴールの回転ドラムの回転に連動させてオブジェクトケースを回転させる機構が複雑であるとともに、オブジェクトケースを簡単に取り替えることができないため１パターン多種の画像しか見られないという欠点を有している。また、回転につれて変化するオブジェクトは、オブジェクトケース内に収納されているオブジェクト片を可動させる方式であり、所定の画像が繰り返し見られる構成ではないという欠点を有している。
【発明の開示】
【発明が解決しようとする課題】
【０００４】  本発明の目的は、オルゴールの曲を聞きながら、回転につれて変化するオブジェクトを見ることができ、オブジェクトを取り替えることが容易であるため、異なる画像を簡単に楽しむことができる万華鏡装置を提供することにある。
【課題を解決するための手段】
【０００５】  内面を鏡面とする多角中空筒体からなる万華鏡本体と、オルゴールと、円盤の一方の表面にオブジェクト片が接着されたオブジェクト円盤とからなり、オブジェクト円盤をオブジェクト円盤の中心がオルゴールのドラムの回転軸と一致するようにオルゴールのドラムに着脱可能に取り付け、ドラムの回転に連動させてオブジェクト円盤を回転させながら、万華鏡本体によりオブジェクト円盤のオブジェクト片が接着された表面を見るように構成した万華鏡装置である。【０００６】  上記の万華鏡装置において、前記オブジェクト円盤はオブジェクト片が接着されていない他方の表面の中央部にマグネットシートが接着された構成からなり、金属板の中央部に垂直に突出する突出棒が形成されたオブジェクト円盤取付具の突出棒をオルゴールのドラムの回転軸に差し込んで固定し、オブジェクト円盤取付具の金属板にオブジェクト円盤のマグネットシートを磁力により着脱可能に取り付けた構成である。【０００７】  内面を鏡面とする３角中空筒体からなる万華鏡本体と、オルゴールと、円筒の外周表面にオブジェクト片が接着されたオブジェクト円筒とからなり、オブジェクト円筒をオブジェクト円筒の中心軸がオルゴールのドラムの回転軸と一致するようにオルゴールのドラムに着脱可能に取り付け、ドラムの回転に連動させてオブジェクト円筒を回転させながら、万華鏡本体によりオブジェクト円筒のオブジェクト片が接着された外周表面を見るように構成した万華鏡装置である。【０００８】  上記の万華鏡装置において、前記オブジェクト円筒はオブジェクト円筒の回転軸方向に一方側に突出する突出棒を形成した構成からなり、突出棒をオルゴールのドラムの回転軸に差し込むことにより、オブジェクト円筒をオルゴールのドラムに脱着可能に取り付けるようにした構成である。【０００９】  ３角中空筒体を頂角の小さい２等辺３角形からなる万華鏡本体とし、オブジェクト円筒の直径を２等辺３角形の高さの約２倍以下とし、万華鏡本体とオブジェクト円筒の位置関係は、オブジェクト円筒は時計回りで、２等辺３角形の底辺を左側、頂点を右側にし、底辺をオブジェクト円筒の中心軸と平行とし、頂点をオブジェクト円筒の中心軸上に位置させた構成である。【００１０】  前記オブジェクト円盤と前記オブジェクト円筒は、一方の面にオブジェクト片が接着固定された下地柄シート体を、下地柄シート体の他方の面にて円盤の表面又は円筒の外周表面に両面粘着テープを使用して貼付けた構成である。【００１１】  前記オブジェクト円盤のオブジェクト片が接着された表面又は前記オブジェクト円筒のオブジェクト片が接着された外周表面を照射する多色カラー光源が取り付けられた構成である。
【発明の効果】
【００１２】  請求項１の万華鏡装置とすることにより、オルゴールのネジを巻くことにより、オルゴールの曲を聞きながら、オルゴールのドラムの回転に連動して回転するオブジェクト円盤により出現する変化に富んだきれいな画像を楽しむことができる。【００１３】  請求項２の発明では、オブジェクト円盤を簡単に取り替えることができるため、異なる種類の画像を簡単に楽しむことができる。【００１４】  請求項３の万華鏡装置とすることにより、オルゴールのネジを巻くことにより、オルゴールの曲を聞きながら、オルゴールのドラムの回転に連動して回転するオブジェクト円筒により出現する変化に富んだ球状のきれいな画像を楽しむことができる。【００１５】  請求項４の発明では、オブジェクト円筒を簡単に取り替えることができるため、異なる種類の球状の画像を簡単に楽しむことができる。【００１６】  請求項５の発明では、花火を打ち上げるような完全に球状のきれいな画像を楽しむことができる。【００１７】  請求項６の発明では、オブジェクト円盤を構成する円盤の表面又はオブジェクト円筒を構成する円筒の外周表面へのオブジェクト片の接着が容易となる。また、下地柄シート体を使用することにより、オブジェクト片と下地柄シート体の柄との相乗効果により、よりきれいな画像を楽しむことができる。【００１８】  請求項７の発明では、多色カラー光源によりオブジェクトの色彩を変化させることができるのでより多様なカラー画像を楽しむことができる。
【発明を実施するための最良の形態】
【００１９】  以下、図面を引用して本発明の実施の形態を説明する。
図１は本発明の第１実施形態を示す斜視図、図２は第１実施形態においてオブジェクト円盤をオルゴールに取り付ける機構を示す断面図、図３は本発明の第２実施形態を示す斜視図、図４は本発明の第３実施形態を示す斜視図、図５は第３実施形態においてオブジェクト円筒をオルゴールに取り付ける機構を示す断面図、図６はオルゴールのドラムと突出棒分解図であり、２は万華鏡本体、３はオルゴール、３１はドラム、３２はバネ、３３はネジ、３４，３５はギア、４はオブジェクト円盤、４１は円盤、４２はオブジェクト片、４３はマグネットシート、４４は下地柄シート体、５はオブジェクト円盤取付具、５１は金属板、５２は突出棒、６は万華鏡本体支持具、７はオルゴール支持具、８はオブジェクト円筒、８１は円筒、８２はオブジェクト片、８３は突出棒、８４は下地柄シート体、９は多色カラー光源、１０は基台をそれぞれ表す。【００２０】  本発明の第１実施形態は、図１に示すとおりであり、内面を鏡面とする３角中空筒体からなる万華鏡本体２と、万華鏡本体２を支持するとともに万華鏡本体２の高さ及び角度を変えることのできる万華鏡本体支持具６と、オブジェクト円盤４と、オブジェクト円盤取付具５と、オルゴール３と、オルゴール３を支持するオルゴール支持具７とからなり、万華鏡本体支持具６とオルゴール支持具７は基台１０に固定されており、オブジェクト円盤４はオルゴール３に取り付けられて固定されている構成である。なお、第１実施形態において、オルゴールを基台上に直接載置してもよいし、万華鏡本体支持具を三脚の構成としてもよい。【００２１】  第１実施形態において、オルゴール３にオブジェクト円盤４を着脱可能に取り付ける機構は、図２に示すように、オブジェクト円盤４が、円盤４１の一方の面にオブジェクト片４２が接着された下地柄シート体４４が貼付けられるとともに、円盤４１の他方の面の中央部にマグネットシート４３が取り付けられた構成からなり、金属板５１の中央部に垂直に突出する突出棒５２が形成されたオブジェクト円盤取付具５の突出棒５２をオルゴール３のドラム３１の回転軸に差し込んで固定した状態で、オブジェクト円盤取付具５の金属板５１にオブジェクト円盤４のマグネットシート４３を磁力により着脱可能に取り付けられている構成となっている。【００２２】  第１実施形態の場合、オルゴール３のネジ３３を巻くことによりドラム３１を回転させて音楽を聞くと同時に、ドラム３１にオブジェクト円盤取付具５を介して着脱可能に取り付けられているオブジェクト円盤４を回転させることができるので、ドラム３１に連動して回転するオブジェクト円盤４の一方の面に接着されている下地柄シート体４４上のオブジェクト片４２を万華鏡本体２にて見ることができるものである。万華鏡本体２は万華鏡本体支持具６に取り付けられており、万華鏡本体２の高さ及び上下角度を変えられるようになっているので、オブジェクト円盤４の下地柄シート体４４上のオブジェクト片４２の見える領域及び角度を任意に変化させることができるものである。第１実施形態では、平面で噴水状の画像を見ることができる。【００２３】  本発明の第２実施形態は、図３に示すとおりであり、第１実施形態においてオブジェクト円盤４の���方の面に接着されたオブジェクト片４２の表面を照射するように多色カラー光源９が取り付けられている以外は第１実施形態と基本的には同じ構成であ。第２実施形態の場合は、第１実施形態と同じ画像が見られる以外に、多色カラー光源９の照射により、オブジェクト片４２の色調を変化させることができるので、光輝く星雲のような画像を楽しむことができる。第２実施形態の場合、オブジェクト片４２としては、光を反射する金属光沢を有するビーズ、メラ等が良く、下地柄シート体４４として、光を反射する金属光沢のあるホログラムシートや黒い艶のあるシートを使用することにより一層効果的な画像を楽しむことができる。【００２４】  本発明の第３実施形態は、図４に示すとおりであって、内面を鏡面とする３角中空筒体からなる万華鏡本体２と、万華鏡本体２を支持するとともに万華鏡本体２の高さ及び角度を変えることのできる万華鏡本体支持具６と、オブジェクト円筒８と、オルゴール３と、オルゴール３を固定するとともに斜めに傾斜させることのできるオルゴール支持具７と、基台１０とからなり、万華鏡本体支持具６とオルゴール支持具７は基台１０に固定されている構成である。なお、第３実施形態において、オルゴールを斜めに傾斜させるための斜め台を使用してオルゴールを直接基台上に載置してもよいし、万華鏡本体支持具を三脚の構成としてもよい。【００２５】  第３実施形態において、オルゴール３にオブジェクト円筒８を着脱可能に取り付ける機構は、図５に示すように、オブジェクト円筒８は、円筒８１の外周表面に貼付けられた下地柄シート体４４上にオブジェクト片８２が接着され、円筒８１の回転軸の方向に一方の側に突出する突出棒８３が形成された構成からなっており、突出棒８３をオルゴール３のドラム３１の回転軸に差し込んでオブジェクト円筒８をオルゴール３に固定した構成である。したがって、オブジェクト円筒８の突出棒８３をオルゴール３のドラム３１の回転軸の内部に差し込むことにより取り付けが可能となり、オブジェクト円筒８の突出棒８３をドラム３１の回転軸から抜き取ることによりオブジェクト円筒８を取り替えることができるので、オブジェクト円筒８をオルゴール３に簡単に着脱できるものである。【００２６】  第３実施形態の場合、オルゴール３のネジ３３を巻くことによりドラム３１を回転させて音楽を聞きながら、ドラム３１に取り付けられているオブジェクト円筒８を回転させることができるので、ドラム３１と連動して回転するオブジェクト円筒８の外周表面に接着されている下地柄シート体８４上のオブジェクト片８２を万華鏡本体２にて見ることができる。万華鏡本体２は万華鏡本体支持具６に取り付けられて万華鏡本体２の高さ及び上下左右の角度が変えられるようになっており、オブジェクト円筒８の外周表面の全面に接着されているオブジェクト片８２の見る領域及び角度を変えて多様な画像を楽しむことができる。第３実施形態の場合は球状の画像となるので、万華鏡本体２で見ると花火が打ち上がるような動きのある画像を楽しむことができる。【００２７】  第３実施形態においては、内面を鏡面とする３角中空筒体からなる万華鏡本体２の３枚の鏡面により形成される３角形の頂角をできるだけ小さくした��等辺３角形状とし、オブジェクト円筒８を構成する円筒８１の直径を２等辺３角形状の高さの約２倍以下とし、万華鏡本体２とオブジェクト円筒８の位置関係は、オブジェクト円筒は時計回りで、２等辺３角形の底辺を左側、頂点を右側にし、底辺をオブジェクト円筒の中心軸と平行にし、頂点をオブジェクト円筒の中心軸上に位置させることにより、きれいな完全な球状の画像を見ることができる。【００２８】  オルゴール３のドラム３１の回転を突出棒５２，８３に伝達する機構は、突出棒５２，８３とオルゴール３のドラム３１の一部を完全に密着させ摩擦力により得る。図６に示すように、突出棒５２，８３の先端は尖っており、上から押さえるとオルゴール３のドラム３１に取り付けられているプラスチック（ギア３４の反対側）の凹部にくい込み、この力で伝達できるようになっている。また、オルゴール３のドラム３１にゴム状の弾性体を入れドラム３１に密着させ、この弾性体に突出棒５２，８３の先端を突き刺し、この力で伝達することもできる。【００２９】  オブジェクト片として使用できる物質としては、丸ビーズ、竹ビーズ、ガラス、水引、ステンレス，銅，真ちゅう等の針金、色輪ゴム、色ひも、布、シール、ネックレス、宝石、ヘアピン、毛糸、ラメ、ホログラム等が好ましい。オブジェクト片だけでは変化がない場合は、下地柄シート体として、カラフルな絵柄シート、合成写真、黒い艶のあるシート、ホログラムシート、布、カラーゴム、蒸着したレインボーシート等を使用し、下地柄シート体上にオブジェクト片を接着することによりより一層きれいな画像を見ることができる。カラフルな絵柄シート、ホログラムシート、合成写真、布、カラーゴム、蒸着したレインボーフィルム等からなるオブジェクト片が一方の表面に接着された下地柄シート体を他方の面にて円盤の表面又は円筒の外周表面に貼付けることによりオブジェクト円盤又はオブジェクト円筒とすることができる。オブジェクト片を下地柄シート体に接着するには透明な接着剤を使用し、下地柄シート体を円盤の表面又は円筒の外周表面に貼付けるには両面粘着テープを使用するのが好ましい。【００３０】  円盤としては、ＣＤ、プラスチック板、金属板、板紙等が使用でき、これらの円盤の一方の面にオブジェクト片を直に接着するかないしはオブジェクト片が接着された下地柄シート体を貼付けることによりオブジェクト円盤が作製される。円筒としては、両端が塞がれた金属筒、紙筒、プラスチック筒等の回転軸の位置に一方側に突出する棒状軸が取り付けられた円筒が使用でき、これらの円筒の外周表面にオブジェクト片を直に接着するかないしはオブジェクト片が接着された下地柄シート体を貼付けることによりオブジェクト円筒が作製される。
【図面の簡単な説明】
【００３１】
【図１】本発明の第１実施形態を示す斜視図。
【図２】第１実施形態においてオブジェクト円盤をオルゴールに取り付ける機構を示す断面図。
【図３】本発明の第２実施形態を示す斜視図。
【図４】本発明の第３実施形態を示す斜視図。
【図５】第３実施形態においてオブジェクト円筒をオルゴールに取り付ける機構を示す断面図。
【図６】オルゴールのドラムと突出棒分解図。
【符号の説明】
【００３２】２    万華鏡本体
３    オルゴール
３１  ドラム
３２  バネ
３３  ネジ
３４，３５  ギア
４    オブジェクト円盤
４１  円盤
４２  オブジェクト片
４３  マグネットシート
４４  下地柄シート体
５    オブジェクト円盤取付具
５１  金属板
５２  突出棒
６    華鏡本体支持具
７    ルゴール支持具
８    ブジェクト円筒
８１  円筒
８２  オブジェクト片
８３  突出棒
８４  下地柄シート体
９    多色カラー光源
１０  基台
【図１】
2005169038.tif 000003
【図２】
2005169038.tif 000004
【図３】
2005169038.tif 000005
【図４】
2005169038.tif 000006
【図５】
2005169038.tif 000007
【図６】
2005169038.tif 000008